(57)【要約】【課題】オーブントースターにおける加熱調理完了後の被加熱物の取り出しを容易にする。【解決手段】本体内に形成された調理室と、該調理室内に配設された加熱源となる電気ヒータと、前記調理室の前面開口部を当該前面開口部の下端部を枢支点として前後方向に開閉する開閉扉と、該開閉扉の前方への開操作に連動して前方に移動して前記前面開口部から突出する焼き網と、該焼き網上に載置された被加熱物を上方に浮上させるオートリフトバーとを備えてなるオーブントースターにおいて、前記オートリフトバーは、前記焼き網の左右方向への線材に対して前後方向に弧回動自在に枢支され、前方に倒された状態では前記開閉扉の開閉操作に連動して上方に移動して前記焼き網上に載置された被加熱物を上方に浮上させる一方、後方に倒された状態では前記焼き網上の被加熱物にとって邪魔にならない位置に収納セットされるように構成した。【選択図】        図２
2004347144.tif 000002
【特許請求の範囲】
【請求項１】
本体内に形成された調理室と、該調理室内に配設された加熱源となる電気ヒータと、前記調理室の前面開口部を当該前面開口部の下端部を枢支点として前後方向に開閉する開閉扉と、該開閉扉の前方への開操作に連動して前方に移動して前記前面開口部から突出する焼き網と、該焼き網上に載置された被加熱物を上方に浮上させるオートリフトバーとを備えてなるオーブントースターにおいて、前記オートリフトバーは、前記焼き網の左右方向への線材に対して前後方向に弧回動自在に枢支され、前方に倒された状態では前記開閉扉の開閉操作に連動して上方に移動して前記焼き網上に載置された被加熱物を上方に浮上させる一方、後方に倒された状態では前記焼き網上の被加熱物にとって邪魔にならない位置に収納セットされるように構成されていることを特徴とするオーブントースター。
【請求項２】
オートリフトバーは、枢支部と反対側の回動側端部が凸状に屈曲されており、前方に倒された状態では、同屈曲部の先端が下方側開閉扉の内壁面に当接して焼き網上の被加熱物を上方にリフトさせるリフトバーとして機能する一方、後方に倒された状態では、同屈曲部の先端が上方に向いて前記焼き網上の被加熱物の後方への落下を防止する落下防止壁として機能するように構成されていることを特徴とする請求項１記載のオーブントースター。
【請求項３】
オートリフトバーが枢支されている左右方向の線材は、焼き網の前後方向中間部か又は同中間部よりも若干後方に位置する線材であることを特徴とする請求項１又は２記載のオーブントースター。
【請求項４】
オートリフトバーの回動側端部は、後方に倒された状態では、焼き網の所定寸法上方に折り曲げられた後端部の上部に載置された状態で収納セットされるように構成されていることを特徴とする請求項２又は３記載のオーブントースター。
【発明の詳細な説明】
【０００１】
【発明の属する技術分野】
本願発明は、オーブントースターに関し、さらに詳しくは、焼き網上の調理物を取り出し易いように構成したオーブントースターに関するものである。
【０００２】
【従来の技術】
従来からよく知られているオーブントースターは、本体内に形成された調理室と、該調理室内に配設された加熱源となる電気ヒータと、被加熱物を載置する焼き網と、前記調理室の前面開口部を該前面開口部の下端部位置を回動支点として開閉する開閉扉とを備え、該開閉扉の開操作と連動して前記焼き網が前方に移動して、前記前面開口部から突出するように構成されている（例えば、特許文献１参照）。
【０００３】
また、特許文献２には、オーブントースターにおいて、焼き網に対して上下方向に可動とされた補助焼き網を取り付けて、被加熱物と電気ヒータとの距離を調節できるようにしたものが開示されている。
【０００４】
【特許文献１】
実開平２−１４４３１７号公報（第１頁、第１図）
【特許文献２】
特開２００１−１２８８５８公報（第１−３頁、図１−２）
【０００５】
【発明が解決しようとする課題】
ところが、上記特許文献１に開示されているオーブントースターの場合、開閉扉と連動して焼き網が調理室の前面開口部から突出せしめられるようにはなっているが、被加熱物が焼き網面上に載置されたままの状態で出てくるから、被加熱物を取り出すときに加熱状態の焼き網に手が触れるおそれがある。
【０００６】
また、上記特許文献２に開示されているオーブントースターの場合、補助焼き網により被加熱物の加熱状態を調節することが可能であるとともに、被加熱物の取り出し時において、補助焼き網を上方に移動させると、被加熱物と焼き網との距離がとれることから、一応焼き網に手を触れることなく被加熱物の取り出しが可能であるが、補助焼き網の移動調節を、手動あるいは外部操作によって作動する可動機構により行わなければならない構造となっているために、非常に操作性が悪い。
【０００７】
本願発明は、このような事情に鑑みてなされたもので、開閉扉の開操作に連動して焼き網面から所定寸法上方に被加熱物を浮上させることができるようにすることにより、安全且つ容易に被加熱物を取り出し得るようにしたオーブントースターを提供することを目的としている。
【０００８】
【課題を解決するための手段】
本願発明は、上記従来の問題を確実に解決し、その目的を有効に達成するために、次のような課題解決手段を備えて構成されている。
【０００９】
（１）  請求項１の発明
この発明の課題解決手段は、本体内に形成された調理室と、該調理室内に配設された加熱源となる電気ヒータと、前記調理室の前面開口部を当該前面開口部の下端部を枢支点として前後方向に開閉する開閉扉と、該開閉扉の前方への開操作に連動して前方に移動して前記前面開口部から突出する焼き網と、該焼き網上に載置された被加熱物を上方に浮上させるオートリフトバーとを備えてなるオーブントースターにおいて、前記オートリフトバーは、前記焼き網の左右方向への線材に対して前後方向に弧回動自在に枢支され、前方に倒された状態では前記開閉扉の開閉操作に連動して上方に移動して前記焼き網上に載置された被加熱物を上方に浮上させる一方、後方に倒された状態では前記焼き網上の被加熱物にとって邪魔にならない位置に収納セットされるように構成されていることを特徴としている。
【００１０】
このような構成によれば、焼き網上に被加熱物を載置した加熱調理が終了すると、開閉扉が開操作されて、被加熱物の取り出しが行われる。そして、このときに開閉扉の開操作と連動して焼き網が前方に移動して調理室の前面開口部から突出するが、それと同時に焼き網上に載置された被加熱物がオートリフトバーのリフトアップ作用により確実に焼き網面より上方に浮上せしめられる。したがって、高温状態の焼き網に触れることなく、被加熱物のみを簡単かつ安全に取り出すことができるようになる。
【００１１】
しかも、その場合において、同オートリフトバーは、焼き網の網目を構成している左右方向の線材に対して前後方向に弧回動自在に枢支されていて、前方に倒された状態では前記のように開閉扉の開閉操作に連動して上方に移動して前記焼き網上に載置された被加熱物を上方に浮上させる一方、後方に倒された状態では前記焼き網上の被加熱物にとって邪魔にならない位置に収納セットされる。
【００１２】
したがって、その構成が著しく簡単で、低コストであるとともに、加熱調理時における焼き網面上の加熱調理スペースを全く制約しない。そのため、調理メニューの自由度を妨げることもない。
【００１３】
（２）  請求項２の発明
この発明の課題解決手段は、上記請求項１の発明の課題解決手段において、オートリフトバーは、枢支部と反対側の回動側端部が凸状に屈曲されており、前方に倒された状態では、同屈曲部の先端が下方側開閉扉の内壁面に当接して焼き網上の被加熱物を上方にリフトさせるリフトバーとして機能する一方、後方に倒された状態では、同屈曲部の先端が上方に向いて前記焼き網上の被加熱物の後方への落下を防止する落下防止壁として機能するように構成されていることを特徴としている。
【００１４】
このように構成した場合、回動側端部に凸状の屈曲部を設けるだけの極めて簡単な構成で、被加熱物取り出し時のオートリフト作用と被加熱物調理時の被加熱物の後方への落下防止作用との有効な２つの作用を同時に実現することができ、非常に便利で、使い勝手の良いものとなる。
【００１５】
（３）  請求項３の発明
この発明の課題解決手段は、上記請求項１又は２の発明の課題解決手段において、オートリフトバーが枢支されている左右方向の線材は、焼き網の前後方向中間部か又は同中間部よりも若干後方に位置する線材であることを特徴としている。
【００１６】
このように、オートリフトバーが枢支されている左右方向の線材が、焼き網の前後方向中間部か又は同中間部よりも若干後方に位置する線材である場合には、オートリフトバーの前端部が、ちょうどトーストパン等被加熱物の前端部を上方に持ち上げるのに適した位置にくると同時に、その前後方向の長さがコンパクトになり、スムーズに焼き網後端側位置に収納セットされる。
【００１７】
（４）  請求項４の発明
この発明の課題解決手段は、上記請求項２又は３の発明の課題解決手段において、オートリフトバーの回動側端部は、後方に倒された状態では、焼き網の所定寸法上方に折り曲げられた後端部の上部に載置された状態で収納セットされるように構成されていることを特徴としている。
【００１８】
このような構成によると、オートリフトバーの回動側端部、なかんづく被加熱物の落下防止壁として機能する凸状の屈曲部の高さが、より高くなり、加熱調理時における被加熱物の落下防止機能が向上する。
【００１９】
【発明の効果】
以上のように、本願発明の構成では、被加熱物のオートリフトバーが、焼き網の加熱調理スペースを制約することなく収納可能となっていることから、非常に使い勝手が良くなり、従来例に比べると加熱調理できるメニューの幅も拡大される。
【００２０】
また、構造も簡単で、特別な部品を必要とせず、１本の線材を加工するのみでよいから、非常に低コストである。
【００２１】
【発明の実施の形態】
以下、添付の図面を参照して、本願発明の実施の形態の構成について詳細に説明する。
【００２２】
（本体部分の構成）
まず図１および図２には、本願発明の実施の形態にかかるオーブントースターの本体部分の構成が示されている。
【００２３】
すなわち、このオーブントースターは、例えば図１（加熱調理状態）および図２（加熱終了後の被加熱物取り出し状態）に示すように、オーブントースター本体１内に形成された調理室２と、該調理室２内に配設された加熱源となる電気ヒータ（上ヒータ３Ａおよび下ヒータ３Ｂ）と、被加熱物Ｍ（例えば、トースト用のパンあるいは同パンと受け皿）を載置する焼き網４と、前記調理室２の前面開口部２ａを該前面開口部２ａの下端部両側の枢支部（枢支孔部）を枢支点として図２、図３のように開閉される開閉扉５とを備えて構成されている。
【００２４】
前記上ヒータ３Ａと下ヒータ３Ｂは共に管状ヒータとされており、前記調理室２内において上下に対向するように、当該調理室２の左右両側壁２ｂ，２ｂ間に架設されている。
【００２５】
前記焼き網４は、前記上ヒータ３Ａと下ヒータ３Ｂとの間に配置されており、前記調理室の各側壁２ｂ，２ｂ部分に前後方向に延びて形成された円弧形状の焼き網スライド用のガイド溝６，６内に、その左右両側の各軸端部がスライド自由に係合された焼き網支持軸７の上に後述するようにして載置係合されている。また、この焼き網４のフレーム部４１の前端は、前記開閉扉５の裏面側から後方に向けて突設された係止片（フック部）８の係合溝８ａに係止されており、前記開閉扉５の開閉操作に伴って、前記焼き網４が前記焼き網支持軸７を介して前記ガイド溝６，６に案内されつつ、前記前面開口部２ａから突出する位置に引き出され（図２参照）、あるいは加熱調理可能な収納位置に押し入れられる（図１参照）ようになっている。
【００２６】
また、前記開閉扉５は、前記調理室２内を外部から透視できる透明窓９と、該透明窓９が嵌め込まれるとともに、その下部に当該開閉扉５を上記前面開口部２ａ下部の枢支部に対して開閉自在に枢支する枢支軸１０を備えた枠体とによって構成されており、該枠体の上部５ｂの外面（前面）には、また当該開閉扉５の開閉操作を行うための把手１１が設けられている。
【００２７】
また、同開閉扉５における枠体の下部５ａの裏面には、その左右両側に位置して、例えば当該開閉扉５の開操作時に、図２のように前記焼き網４の上面よりも所定寸法ΔＨ上方に突出して前記焼き網４上のトーストパン等の被加熱物Ｍを所定寸法ΔＨ上方にリフトアップする後述するオートリフトバー２１の前端側屈曲部２１ｂ，２１ｂを当接せしめて小さな接触抵抗で前後方向にスムーズにガイドする断面逆Ｖ字形のリブ１９，１９が設けられている。なお、該屈曲部２１ｂ，２１ｂの高さは、前記開閉扉５のフルオープン状態において、その上端が前記焼き網４の高さよりも所定寸法ΔＨだけ高くなるように設定されている（図２参照）。
【００２８】
（焼き網およびオートリフトバーの構成）
次に図３〜図７は、上記焼き網４とオートリフトバー２１の具体的な構成を示す。
【００２９】
先ず図５および図６は、上記基本となる焼き網４の構成を示している。
【００３０】
図中、符号４１は当該焼き網４の本体部を形成する長方形状の若干線径が太めのフレーム部であり、該フレーム部４１は、前部、後部、左右両側部の相互に連続する４辺からなっている。そして、その左右両側部各々の前後方向中間部Ｏ−Ｏ′位置よりも若干後方部寄り部分には、下方側に突出させて前後方向にＶ字形に折り曲げられた上記本体側焼き網支持軸７との第１の係合部４１ａ，４１ａが設けられている一方、後部４１ｂ部分は、同左右両側部部分の後部から上方側に所定の高さだけ鉤状に折り曲げられて、被加熱物が後方側に落ちるのを防止する第１の落下防止壁４ｂを形成している。
【００３１】
そして、このように構成された同フレーム部４１の上記左右両側部間には、例えば後方側から前方側にかけて同フレーム部４１よりも若干線径の小さい第１〜第３の３本の左右方向の線材４３，４４，４５が所定の間隔で架橋されているとともに、また前部および後部４１ｂ間には、例えば左側から右側にフレーム部４１よりも若干線径の小さい第１〜第８の８本の前後方向の線材４２，４２・・・が等間隔で架橋され、それら各々の交叉部および架橋端部間が前記方形のフレーム部４１とともに相互に溶着接合されて一体化され、図示のような各網目部４ａ，４ａ・・・が縦方向（前後方向）に長い格子構造の網目体を構成している。
【００３２】
また、この場合、上記第１〜第８の８本の前後方向の線材４２，４２・・・は、それぞれ上記本体側方形のフレーム部４１の左右両側部と同様に同様の前後方向位置で、同様のＶ字形状に折り曲げられて前記オーブントースター本体１側焼き網支持軸７との第２の係合部４２ａ，４２ａ・・・を形成しているとともに、後端部４２ｂ，４２ｂ・・・もフレーム部４１の後端部４１ｂと同様に上方側に鉤状に折り曲げられて上述の第１の被加熱物の落下防止壁４ｂを形成している。
【００３３】
一方、上記第１〜第３の３本の左右方向の線材４３，４４，４５の内の最後方部側第１の左右方向の線材４３は、上記フレーム部４１側部の第１の係合部４１ａおよび第１〜第８の左右方向の線材４２，４２・・・の第２の係合部４２ａ，４２ａ・・・に隣接して後方側に設けられ、その左右両側には、下方側に突出して左右にＶ字形状に折り曲げられ、かつ、その先端を若干前方側に傾けられた上記オーブントースター本体１側焼き網支持軸７との第３の係合部４３ａ，４３ａが設けられている。
【００３４】
したがって、上記焼き網４は、例えば図１および図２に示すように、上記オーブントースター本体１内の調理室２内において、その左右両側壁部２ｂ，２ｂのガイド溝６，６間に前後移動可能に架け渡された焼き網支持軸７に載置係合された時は、上記方形のフレーム部４１、第１〜第８の８本の前後方向線材４２，４２・・・の各々に設けられた第１，第２の係合部４１ａ，４１ａ・・・、４２ａ，４２ａ・・・と上記最後方側第１の左右方向の線材４３の左右両側に設けられた第３の係合部４３ａ，４３ａとの間で当該焼き網支持軸７を挟み込む形で安定して支持され、さらに上記方形のフレーム部４１の前部の中央が前記開閉扉５裏面側の係止片８に係合されることにより、前記開閉扉５の開閉操作に応じて、図２〜図１のように前後方向に移動可能となる。
【００３５】
次に図７は、上記のように構成された焼き網４の第２の左右方向の線材４４に対して、例えば図３、図４および図７に示すように取り付けられる上述したオートリフトバー２１の具体的な構成を示している。
【００３６】
すなわち、該オートリフトバー２１は、例えば図７に示すように、全体として断面コの字形をし、上記焼き網４のフレーム部４１と略同様の線径の線状部材よりなり、その左右方向の幅は、上記焼き網４の左右方向の幅よりも若干小さく（フレーム部の直径の２倍分よりも少し大きい寸法分だけ小さく）、その内側に嵌合され得るようになっている。そして、その左右両側の各アーム部の基端部２１ａ，２１ａは、上述した焼き網４の前後方向の中間部Ｏ−Ｏ′（図６参照）よりもΔａだけ後方に寄った後方側から２番目の第２の左右方向の線材４４両端部に対して、前後方向に弧回動可能に巻着して取り付けられている。
【００３７】
一方、その前端部側左右方向のフレーム部には、左右方向に所定の間隔を置いて、図示のように左右両側のアーム部部分と直交する方向に（前方側に傾倒された状態において下方側に、後方側に傾倒された状態において上方側に）所定寸法突出する各網目４ａの左右方向の幅よりも少し小さいＵ字形状の左右一対の屈曲部２１ｂ，２１ｂを形成しており、該左右一対の屈曲部２１ｂ，２１ｂが前記網目４ａ，４ａ間を通して開閉扉５の枠体裏面部のリブ１９，１９と当接摺動することによって上述のように開閉扉５を開放した時のトースター等の被加熱物Ｍのオートリフト作用を生ぜしめるようになっている。
【００３８】
該オートリフトバー２１の前後方向の長さは、例えば図３から明らかなように、上記第２の左右方向の線材４４と第１の被加熱物落下防止壁４ｂとの間の長さに対応させて、図６に示す上記焼き網４の前後方向の長さａの１／２の寸法１ａ／２よりも所定寸法Δａだけ小さく形成されている。
【００３９】
そして、それによって同オートリフトバー２１は、例えば図３および図７の実線に示すように、トーストパン加熱調理時などの前方に倒された（オートリフトバーを使用した）加熱調理状態では加熱調理完了後の前記開閉扉５の開閉操作に連動して上方に移動して前記焼き網４上に載置された被加熱物Ｍを上方に浮上させる一方、同図の仮想線に示すように、後方に倒された状態（オートリフトバー非使用状態）では前記焼き網４上の被加熱物Ｍにとって邪魔にならない後端位置に収納セットされるように構成されている。
【００４０】
このような構成によれば、オートリフトバー２１を前方側に倒し、その上で焼き網４上に被加熱物Ｍを載置した加熱調理が終了すると、開閉扉５が開操作されて、被加熱物Ｍの取り出しが行われるが、そのときに開閉扉５の開操作と連動して焼き網４が前方に移動して調理室２の前面開口部２ａから突出するが、それと同時に焼き網４上に載置された被加熱物Ｍが前記前方に倒されているオートリフトバー２１の被加熱物リフトアップ作用によって、確実に焼き網４の上面よりもΔＨだけ上方に浮上せしめられる。したがって、高温状態の焼き網４に触れることなく、被加熱物Ｍのみを簡単かつ安全に取り出すことができるようになる（図２参照）。
【００４１】
しかも、その場合において、同オートリフトバー２１は、焼き網４の網目４ａ，４ａ・・・を構成している第２の左右方向の線材４４に対して前後方向に弧回動自在に枢支されていて、前方に倒された状態では前記のように開閉扉５の開閉操作に連動して上方に移動して前記焼き網４上に載置された被加熱物Ｍを上方に浮上させる一方、後方に倒された状態では前記焼き網４上の被加熱物Ｍにとって邪魔にならない後端位置に収納セットされる。
【００４２】
したがって、その構成が著しく簡単で、低コストであるとともに、加熱調理時における焼き網４面上の加熱調理スペースを全く制約しない。そのため、従来のように調理メニューの自由度を妨げることもない。
【００４３】
また、このような作用を果たすオートリフトバー２１は、上述のように枢支部と反対側の回動側端部が凸状に屈曲されて屈曲部２１ｂ，２１ｂを備えており、前方に倒された状態では、同屈曲部２１ｂ，２１ｂの先端が下方側開閉扉５の枠体裏面のリブ１９，１９のみに当接して前後方向にスムーズにスライドし、焼き網４上の被加熱物Ｍをスムーズに上方にリフトさせる一方、後方に倒された状態では、同屈曲部２１ａ，２１ａの先端が上方に向いて前記焼き網４上の被加熱物Ｍの後方への落下を防止する第２の落下防止壁として機能するように構成されている。
【００４４】
このため、回動側端部に凸状の屈曲部２１ａ，２１ａを設けるだけの極めて簡単な構成で、被加熱物Ｍ取り出し時のオートリフト作用と被加熱物調理時の被加熱物Ｍの後方への落下防止作用との有効な２つの作用を同時に実現することができ、非常に便利で、使い勝手の良いものとなる。
【００４５】
そして、この場合、上記オートリフトバー２１が枢支されている前記第２の左右方向の線材４４は、図６のように焼き網４の前後方向中間部Ｏ−Ｏ′よりも所定寸法Δａ後方に位置する線材となっている。
【００４６】
このように、オートリフトバー２１が枢支されている左右方向の線材が、焼き網４の前後方向中間部Ｏ−Ｏ′よりも所定寸法Δａ後方に位置する第２の左右方向の線材４４である場合には、オートリフトバー２１の前端部が、ちょうどトーストパン等被加熱物Ｍの前端部を上方に持ち上げるのに適した位置にくると同時に、その前後方向の長さがコンパクトになり、スムーズに焼き網４の後端側位置、焼き網４の特に所定寸法上方に折り曲げられた前記第１の落下防止壁４ｂの上部に載置された状態で収納セットされるようになる。
【００４７】
このような構成によると、焼き網４側第１の落下防止壁４ｂの上に第２の落下防止壁としての屈曲部２１ｂ，２１ｂが積層されることになるので、オートリフトバー２１の回動側端部、なかんづく被加熱物Ｍの最終的な落下防止壁として機能する凸状の屈曲部２１ａ，２１ａの高さが、より高くなり、加熱調理時における被加熱物Ｍの落下防止機能が大きく向上する。
【００４８】
もちろん、このような作用を得るには、上記回転支点である巻着部が一応中間部Ｏ−Ｏ′位置であってもよいが、より好ましくは上述のように同中間部Ｏ−Ｏ′位置よりも若干後方であることが好ましい。
【００４９】
以上のように、本願発明の構成では、被加熱物Ｍのオートリフトバー２１が、焼き網４の加熱調理スペースを制約することなく収納可能となっていることから、非常に使い勝手が良くなり、従来のものに比べると加熱調理できるメニューの幅も拡大される。また、構造も簡単で、特別な部品を必要とせず、１本の線材を加工するのみでよいから、非常に低コストである。
【図面の簡単な説明】
【図１】本願発明の実施の形態に係るオーブントースターの開閉扉閉時（加熱調理時）の縦断側面図である。
【図２】同オーブントースターの開閉扉開操作時（被加熱物取り出し時）の縦断側面図である。
【図３】同オーブントースターの焼き網およびオートリフトバーの開閉扉開操作前の状態における拡大斜視図である。
【図４】同オーブントースターにおける焼き網およびオートリフトバーのオートリフトバー非使用時（収納セット時）の正面図である。
【図５】同オーブントースターの焼き網単体の拡大斜視図である。
【図６】同オーブントースターの焼き網単体の拡大平面図である。
【図７】同オーブントースターのオートリフトバー単体の構成と作用を示す拡大斜視図である。
【符号の説明】
１は焼き網４、２は調理室、２ａは前面開口部、３Ａは電気ヒータ（上ヒータ）、３Ｂは電気ヒータ（下ヒータ）、４は焼き網、４ｂは第１の落下防止壁、５は開閉扉、２１はオートリフトバー、２１ｂは屈曲部、４４は第２の左右方向の線材である。
【図１】
2004347144.tif 000003
【図２】
2004347144.tif 000004
【図３】
2004347144.tif 000005
【図４】
2004347144.tif 000006
【図５】
2004347144.tif 000007
【図６】
2004347144.tif 000008
【図７】
2004347144.tif 000009